(57)【特許請求の範囲】
【請求項１】
シャッター装置を建物躯体に取り付けるシャッター装置の取付構造において、
前記シャッター装置のガイドレールは、建物躯体に取り付けた外壁の表面とほぼ面一となるようにして、前記建物躯体に取り付けられ、
前記ガイドレールは、建具が取り付けられた開口部を隠蔽または露出するシャッターカーテンの昇降を案内するガイドレール本体と、このガイドレール本体の前面に取り付けられた前面部材とを備え、
前記前面部材の表面と、前記外壁の表面とには、同一または近似した装飾模様が施され、
前記前面部材と前記外壁との継ぎ目にはシーリング部材が設けられ、
前記前面部材は前記ガイドレール本体より前記開口部の中央側に向けて突出していることを特徴とするシャッター装置の取付構造。
【請求項２】
請求項１に記載のシャッター装置の取付構造において、
前記ガイドレール本体に、予め前記前面部材が取り付けられていることを特徴とするシャッター装置の取付構造。
【請求項３】
請求項１または２に記載のシャッター装置の取付構造において、
前記建物躯体には、その表面より内側に位置している取付面が設けられており、この取付面に前記ガイドレールが取り付けられていることを特徴とするシャッター装置の取付構造。
【請求項４】
請求項３に記載のシャッター装置の取付構造において、
前記建物躯体には、壁厚の薄い薄壁部が建物躯体の表面より内側に設けられており、
この薄壁部に形成された開口部に建具が取り付けられていることを特徴とするシャッター装置の取付構造。
【請求項５】
請求項３に記載のシャッター装置の取付構造において、
前記建物躯体には、壁厚の薄い薄壁部が建物躯体の表面より内側に設けられており、
この薄壁部にシャッターケースの背面が固定されていることを特徴とするシャッター装置の取付構造。
【発明の詳細な説明】
【技術分野】
【０００１】
本発明は、建物の窓等の開口部を開閉するシャッター装置を建物躯体に取り付けるシャッター装置の取付構造に関する。
【背景技術】
【０００２】
従来から、一戸建ての住宅においては、防犯上の対策として窓の前面に面格子を取り付けたり、施錠装置、警報装置等を強固なものにする等が行われていたが、近年では、デザイン性を重視した新感覚の一戸建て住宅の需要が急増しており、これらの住宅では、従来からの面格子を採用せずに、これに代わって住宅のデザイン上のアクセントとなり得るシャッター装置を採用するようになってきている。
【０００３】
このようなシャッター装置の一例として、特許文献１に記載のものが知られている。このシャッター装置は、シャッターカーテンをドラム等の巻取部材に巻き取って収納するシャッターケースと、このシャッターケースから垂下された左右一対のガイドレールとを備え、前記巻取部材をモータや手動によって、巻き戻すことによってシャッターカーテンがガイドレールに案内されて下降して窓等の開口部を隠蔽し、また、前記巻取部材を巻き上げることによってシャッターカーテンがガイドレールに案内されて上昇して窓等の開口部を露出するようになっている。
このようなシャッター装置は、建物の外壁に当接されたうえで、該建物の建物躯体にボルト等によって強固に取り付けられる。
【特許文献１】特開２００５−３００２６号公報
【発明の開示】
【発明が解決しようとする課題】
【０００４】
上記のように従来のシャッター装置は、建物の外壁に当接されたうえで、該建物の建物躯体にボルト等によって強固に取り付けられるので、シャッター装置のガイドレールは、建物の外壁表面より突出していることになる。したがって、建物の外側を住人等が通る際に、ガイドレールに物や人が引っ掛かり易いという問題があった。
また、ガイドレールが建物の外壁表面より突出しているために目立ち易く、このため建物の外観上あまり好ましくないという問題があった。
【０００５】
本発明は上記事情に鑑みてなされたもので、ガイドレールに物や人が引っ掛かるのを防止できるとともに、外観上も秀麗なシャッター装置の取付構造を提供することを課題としている。
【課題を解決するための手段】
【０００６】
上記課題を解決するために、請求項１に記載の発明は、例えば図１および図２に示すように、シャッター装置を建物躯体に取り付けるシャッター装置の取付構造において、
前記シャッター装置１のガイドレール５は、建物躯体１０に取り付けた外壁１６の表面とほぼ面一となるようにして、前記建物躯体１０に取り付けられ、
前記ガイドレール５は、建具が取り付けられた開口部７を隠蔽または露出するシャッターカーテン２の昇降を案内するガイドレール本体８と、このガイドレール本体８の前面に取り付けられた前面部材９とを備え、
前記前面部材９の表面と、前記外壁２６の表面とには、同一または近似した装飾模様が施され、
前記前面部材９と前記外壁２６との継ぎ目にはシーリング部材２７が設けられ、
前記前面部材９は前記ガイドレール本体８より前記開口部７の中央側に向けて突出していることを特徴とする。
【０００７】
請求項１に記載の発明によれば、ガイドレール５が外壁２６から突出することなく、外壁２６の表面とほぼ面一となるので、ガイドレール５に物や人が引っ掛かるのを防止できる。
また、ガイドレール５が建物の外壁２６の表面とほぼ面一であるので、ガイドレール５が目立ち難くなり、建物の外観上秀麗な仕上がりとなる。
【０００９】
なお、前面部材９と外壁６とは同質の材料で形成するのが望ましいが、異なる材質で形成してもよい。この場合、塗装等によって前面部材の表面の風合いを外壁６の表面の風合と同様にするのが望ましい。
【００１０】
また、外壁２６の表面とガイドレール５の前面部材９の表面とが同一または近似した装飾模様となるので、ガイドレール５の前面（前面部材９の表面）が外壁２６の表面に同化し、外観意匠が向上する。
【００１１】
請求項２に記載の発明は、請求項１に記載のシャッター装置の取付構造において、
前記ガイドレール本体８に、予め前記前面部材９が取り付けられていることを特徴とする。
【００１２】
請求項２に記載の発明によれば、ガイドレール本体８に、予め前面部材９が取り付けられているので、現場での前面部材９の取り付け作業を省略でき、施工が簡単となる。また、ガイドレール本体８を前面部材９によって補強できるので、ガイドレール５の搬送や取り扱いが行い易くなる。
【００１３】
請求項３に記載の発明は、請求項１または２に記載のシャッター装置の取付構造において、
前記建物躯体１０には、その表面より内側に位置している取付面２５が設けられており、この取付面２５に前記ガイドレール５が取り付けられていることを特徴とする。
【００１４】
請求項３に記載の発明によれば、取付面２５が建物躯体１０の表面より内側に位置しており、この取付面２５にガイドレール５が取り付けられているので、ガイドレール５の厚さを確保しながら、ガイドレール５を建物躯体１０に取り付けた外壁２６の表面と容易にほぼ面一とすることができる。
【００１５】
請求項４に記載の発明は、請求項３に記載のシャッター装置の取付構造において、
前記建物躯体１０には、壁厚の薄い薄壁部１３が建物躯体１０の表面より内側に設けられており、
この薄壁部１３に形成された開口部７に建具（窓枠１８、サッシ窓１９）が取り付けられていることを特徴とする。
請求項５に記載の発明は、請求項３に記載のシャッター装置の取付構造において、
前記建物躯体１０には、壁厚の薄い薄壁部１３が建物躯体１０の表面より内側に設けられており、
この薄壁部１３にシャッターケース４の背面が固定されていることを特徴とする。
【００１６】
請求項４に記載の発明によれば、建物躯体１０に設けられた薄壁部１３が建物躯体１０の表面より内側に位置しており、この薄壁部１３に建具（窓枠１８、サッシ窓１９）が取り付けられているので、建具（窓枠１８、サッシ窓１９）が外壁２６の表面より奥まって配置され、立体感を得ることができるとともに雨仕舞も良好となる。
【発明の効果】
【００１７】
本発明によれば、シャッター装置のガイドレールが、建物躯体に取り付けた外壁の表面とほぼ面一となるようにして、前記建物躯体に取り付けられているので、ガイドレールが外壁から突出することなく、外壁の表面とほぼ面一となる。したがって、ガイドレールに物や人が引っ掛かるのを防止できる。
また、ガイドレールが建物の外壁の表面とほぼ面一であるので、ガイドレールが目立ち難くなり、建物の外観上秀麗な仕上がりとなる。
【発明を実施するための最良の形態】
【００１８】
以下、図面を参照して本発明の実施の形態について説明する。
図１は本発明に係るシャッター装置の取付構造を示す縦断面図、図２は同、横断面図である。
これらの図に示すシャッター装置１は、シャッターカーテン２をドラム等の巻取部材３に巻き取って収納するシャッターケース４と、このシャッターケース４から垂下された左右一対のガイドレール５，５とを備えている。そして、巻取部材３をモータや手動によって、巻き戻すことによってシャッターカーテン２がガイドレール５，５に案内されて下降して窓等の開口部７を隠蔽し、また、前記巻取部材３を巻き上げることによってシャッターカーテ２ンがガイドレール５，５に案内されて上昇して窓等の開口部７を露出するようになっている。なお、シャッターカーテン２は、図示しない複数のスラットを連結して形成されたものである。
【００１９】
ガイドレール５は、ガイドレール本体８と、このガイドレール本体８の前面に取り付けられた前面部材９とを備えている。この前面部材９は、外壁に使用されるサイディング材によって形成されたものである。
ガイドレール本体８は、シャッターカーテン２の側端部が挿入係合されて、該シャッターカーテン２の昇降を案内する断面略コ字状のレール部材８ａと、このレール部材８ａの外側に取り付けられて、該レール部材８ａを補強するとともに、レール部材８ａを所定の位置に保持する保持部材８ｂとによって構成されている。
【００２０】
建物躯体１０は、構造用の壁パネル１１を複数枚連結することによって構成されている。この壁パネル１１は框材を矩形枠状に組み立てて構成した枠体の両面に合板等の面材を貼着したものであり、枠体の内部には必要に応じて補強桟材が縦横に組み付けられる。
この壁パネル１１によって構成された建物躯体１０には開口部１２が設けられている。この開口部１２内の上部には、壁パネル１１より薄い薄壁部１３が設けられている。
この薄壁部１３は前記壁パネル１１より薄い構造用の壁パネル１３によって構成されており、この壁パネル１３の上端面と側端面とが前記壁パネル１１の下端面と側端面とに固定されている。そして壁パネル１３の下部に前記開口部７が設けられている。また、薄壁部１３は建物躯体１０の表面、すなわち壁パネル１１の表面より内側（奥側）に配置されている。
【００２１】
開口部７の内周面には、枠材１４，１５，１５，１６が固定されている。枠材１４は開口部７の上面（壁パネル１３の下端面）に固定され、枠材１６は開口部７の下面（壁パネル１１の上端面）に固定されている。また、枠材１５，１５は開口部７の両内側面（壁パネル１１の側端面）にそれぞれ固定されている。そして、これら枠材１４，１５，１５，１６によって枠体１７が構成され、この枠体１７の内周面に窓枠（建具）１８が取り付けられ、この窓枠１８に引違い式のサッシ窓（建具）１９，１９が取り付けられている。
なお、前記枠体１７は壁パネル１１，１１の背面より内側に突出しており、この突出した部分には化粧枠材２０，２１、石膏ボード２２が設けられている。
【００２２】
また、建物躯体１０には、図２に示すように、その表面（壁パネル１１の表面）より内側に位置している取付面２５が設けられている。この取付面２５は前記枠材１５，１５の内側を向く側面で構成されており、この取付面２５，２５に前記シャッター装置１のガイドレール５，５が、建物躯体１０に取り付けられた外壁２６の表面とほぼ面一になるようにして取り付けられている。外壁２６は建物躯体（壁パネル１１）１０との間に所定の隙間を持って該建物躯体１０に、図示しない胴縁を介して取り付けられている。
ガイドレール５は、その保持部材８ｂの背面を取付面２５に当接固定することによって、建物躯体１０に取り付けられており、該保持部材８ｂの開口部７側を向く面は前記窓枠１８に当接されている。
また、ガイドレール５のレール部材８ａの下端部は、図１に示すように、枠材１６に固定された支持部材１６ａによって支持されている。
【００２３】
また、図２に示すように、保持部材８ｂの表面には前記前面部材９が工場等において予め取り付けられており、この前面部材９の表面が前記外壁２６の表面とほぼ面一となっている。また、前面部材９は保持部材８ｂの表面より開口部７の中央側に向けて突出しており、これによって保持部材８ｂの表面を完全に隠している。
前面部材９と外壁２６との継ぎ目にはシーリング部材２７が設けられており、この継ぎ目からの雨水の浸入を防止している。
さらに、前面部材９の表面と前記外壁２６の表面とには、同一の装飾模様が施されている。
【００２４】
また、図１に示すように、シャッター装置１のシャッターケース４は、前記開口部１２内において、外壁１６の下側で外壁１６より内側に挿入されており、該シャッターケース４の背面は前記薄壁部１３に取付け固定されている。シャッターケース４の前面は外壁２６より突出しており、該前面には外壁２６と同じかあるいは同質の表面材４ａが取り付けられている。また、外壁６の下端面とシャッターケース４の上面との間にはシーリング材２８が設けられており、この間からの雨水の浸入を防止している。
【００２５】
以上のように本実施の形態によれば、ガイドレール５が外壁２６から突出することなく、外壁２６の表面とほぼ面一となるので、ガイドレール５に物や人が引っ掛かるのを防止できる。
また、ガイドレール５が建物の外壁２６の表面とほぼ面一であるので、ガイドレール５が目立ち難くなり、建物の外観上秀麗な仕上がりとなる。
さらに、外壁２６の表面とガイドレール５の前面部材９の表面とが同一の装飾模様となるので、ガイドレール５の前面（前面部材９の表面）が外壁２６の表面に同化し、外観意匠が向上する。
【００２６】
また、ガイドレール本体８に、予め前面部材９が取り付けられているので、現場での前面部材９の取り付け作業を省略でき、施工が簡単となる。また、ガイドレール本体８を前面部材９によって補強できるので、ガイドレール５の搬送や取り扱いが行い易くなる。
また、取付面２５が建物躯体１０の表面より内側に位置しており、この取付面２５にガイドレール５が取り付けられているので、ガイドレール５の厚さを確保しながら、ガイドレール５を建物躯体１−に取り付けた外壁２６の表面と容易にほぼ面一とすることができる。
また、建物躯体１０に設けられた薄壁部１３が建物躯体１０の表面より内側に位置しており、この薄壁部１０にサッシ窓１９が取り付けられているので、サッシ窓１９が外壁２６の表面より奥まって配置され、立体感を得ることができるとともに雨仕舞も良好となる。
【図面の簡単な説明】
【００２７】
【図１】本発明に係るシャッター装置の取付構造を示す縦断面図である。
【図２】本発明に係るシャッター装置の取付構造を示す横断面図である。
【符号の説明】
【００２８】
１  シャッター装置
４  シャッターケース
５  ガイドレール
８  ガイドレール本体
９  前面部材
１０  建物躯体
１３  薄壁部
１８  窓枠（建具）
１９  サッシ窓（建具）
２５  取付面
２６  外壁
【図１】
0005118308.tif 000002
【図２】
0005118308.tif 000003